(57)【特許請求の範囲】
【請求項１】
被掃除面に対峙する吸込口を筐体の底面に開口する吸込口体を備えた電気掃除機において、前記吸込口体が、前記吸込口に配して回転駆動される回転ブラシと、前記回転ブラシを駆動するスイッチと、前記筐体に回動自在に支持される支持部材と、前記支持部材の一端に配して前記筐体の底面から突出するとともに前記支持部材の回動によって上下動する突出部と、前記支持部材の他端に配されるレバー状の第１係合部材と、前記筐体内に自重により上下動するとともに回動自在に支持されるレバー状の第２係合部材とを有し、
前記吸込口を下方に向けた際に、前記突出部の上昇により第１係合部材が回動し、第２係合部材の一端が第１係合部材に係合して回動することによって他端で前記スイッチを押圧して前記回転ブラシが駆動され、
前記吸込口を上方に向けた際に、前記突出部の上下動によって回動する第１係合部に係合する位置から第２係合部材が自重により退避することを特徴とする電気掃除機。
【請求項２】
第２係合部材の回動中心軸を含む鉛直面に対して前記突出部及び前記スイッチが同じ側に配置されることを特徴とする請求項１に記載の電気掃除機。
【請求項３】
第２係合部材が前記筐体内に形成された上下に延びる長孔に嵌合する軸部と、前記軸部から径方向の異なる方向に延びて第１係合部材及び前記スイッチにそれぞれ当接する第１レバー部及び第２レバー部とを有することを特徴とする請求項１または請求項２に記載の電気掃除機。
【請求項４】
前記突出部が前記支持部材に軸支されるローラーにより形成され、前記支持部材、前記ローラー及び第２係合部材の軸方向が一致するとともに、前記筐体の底面が接地された際に前記ローラーと前記スイッチとが該軸方向に重なることを特徴とする請求項１〜請求項３のいずれかに記載の電気掃除機。
【発明の詳細な説明】
【技術分野】
【０００１】
本発明は、吸込口体の吸込口に回転ブラシを備えた電気掃除機に関する。
【背景技術】
【０００２】
従来の電気掃除機は特許文献１に開示されている。この電気掃除機は被掃除面に対峙する吸込口を筐体の底面に開口した吸込口体を備えている。吸込口内にはモータにより回転駆動される回転ブラシが配される。筐体の底面には吸込口の後方に回動自在の支持部材が設けられ、支持部材には筐体の底面から突出するローラーが軸支される。これにより、ローラーが支持部材の回動によって上下動自在に配される。
【０００３】
筐体内には支持部材と一体に回動するレバー部材が設けられ、レバー部材の先端に対向して回転ブラシを駆動するスイッチが配される。レバー部材の先端とスイッチとの間には球状の移動体が配される。移動体は筐体内に設けた上下の仕切板の間を自重によって上下動する。また、上下の仕切板の間には移動体の上下動を規制する邪魔体が設けられる。邪魔体は筐体内に枢支され、自重によって回動する。
【０００４】
上記構成の電気掃除機において、吸込口を下方に向けて吸込口体を配置すると、移動体が筐体の底面側に配される。この時、邪魔体によって移動体の上下動が規制され、吸込口体に衝撃が加わっても移動体の上下方向の位置が保持される。ローラーが床面から離れた状態ではレバー部材は移動体から離れており、回転ブラシが停止される。
【０００５】
吸込口体が床面に接地されるとローラーが上昇し、レバー部材が支持部材と一体に回動する。これにより、レバー部材は移動体を介してスイッチを押圧し、回転ブラシが回転して床面の掃除が行われる。
【０００６】
また、吸込口を上方に向けて吸込口体を配置すると、邪魔体が回動して移動体が上下動可能になる。これにより、移動体が自重によって筐体の上面側に配され、スイッチから退避する。このため、ローラーを上下動しても回動するレバー部材によってスイッチが押圧されず、回転ブラシの停止状態が維持される。従って、吸込口体を床面から離した状態及び上下反転した状態で回転ブラシが停止され、電気掃除機の安全性を確保することができる。
【先行技術文献】
【特許文献】
【０００７】
【特許文献１】特開２０００−３３３８９１号公報（第６頁−第１５頁、第３図）
【発明の概要】
【発明が解決しようとする課題】
【０００８】
しかしながら、上記従来の電気掃除機によると、自重により上下動する球状の移動体の衝撃による脱落を防止するために移動体の上下動を規制する可動の邪魔体が設けられる。このため、吸込口体の部品点数が増加するとともに構造が複雑になるため、電気掃除機のコストが大きくなる問題があった。
【０００９】
本発明は、吸込口体の部品点数を削減して構造を簡素化できる電気掃除機を提供することを目的とする。
【課題を解決するための手段】
【００１０】
上記目的を達成するために本発明は、被掃除面に対峙する吸込口を筐体の底面に開口する吸込口体を備えた電気掃除機において、前記吸込口体が、前記吸込口に配して回転駆動される回転ブラシと、前記回転ブラシを駆動するスイッチと、前記筐体に回動自在に支持される支持部材と、前記支持部材の一端に配して前記筐体の底面から突出するとともに前記支持部材の回動によって上下動する突出部と、前記支持部材の他端に配されるレバー状の第１係合部材と、前記筐体内に自重により上下動するとともに回動自在に支持されるレバー状の第２係合部材とを有し、
前記吸込口を下方に向けた際に、前記突出部の上昇により第１係合部材が回動し、第２係合部材の一端が第１係合部材に係合して回動することによって他端で前記スイッチを押圧して前記回転ブラシが駆動され、前記吸込口を上方に向けた際に、前記突出部の上下動によって回動する第１係合部に係合する位置から第２係合部材が自重により退避することを特徴としている。
【００１１】
この構成によると、吸込口を下方に向けて吸込口体を配置すると、第２係合部材が筐体の底面側に配される。突出部が床面から離れた状態では第１係合部材は第２係合部材から離れており、回転ブラシが停止される。吸込口体が床面に接地されると突出部が上昇し、突出部と一体に回動する第１係合部材が第２係合部材の一端に係合して第２係合部材が回動する。第２係合部材の他端はスイッチを押圧し、回転ブラシが回転して床面の掃除が行われる。
【００１２】
吸込口を上方に向けて吸込口体を配置すると、第２係合部材が筐体の上面側に配されて第１係合部材との係合位置から退避する。これにより、突出部を上下動しても第２係合部材が回動せず、スイッチが押圧されないため回転ブラシの停止状態が維持される。
【００１３】
また本発明は、上記構成の電気掃除機において、第２係合部材の回動中心軸を含む鉛直面に対して前記突出部及び前記スイッチが同じ側に配置されることを特徴としている。
【００１４】
また本発明は、上記構成の電気掃除機において、第２係合部材が前記筐体内に形成された上下に延びる長孔に嵌合する軸部と、前記軸部から径方向の異なる方向に延びて第１係合部材及び前記スイッチにそれぞれ当接する第１レバー部及び第２レバー部とを有することを特徴としている。
【００１５】
この構成によると、第２係合部材は筐体内に設けた長孔に軸部が嵌合して自重により上下動する。吸込口体が床面に接地されると突出部が上昇し、突出部と一体に回動する第１係合部材が第２係合部材の第１レバー部に係合して第２係合部材が回動する。これにより、第２係合部材の第２レバー部がスイッチを押圧する。
【００１６】
また本発明は、上記構成の電気掃除機において、前記突出部が前記支持部材に軸支されるローラーにより形成され、前記支持部材、前記ローラー及び第２係合部材の軸方向が一致するとともに、前記筐体の底面が接地された際に前記ローラーと前記スイッチとが該軸方向に重なることを特徴としている。
【００１７】
この構成によると、筐体の底面を接地するとローラーが上昇し、スイッチと左右方向に重なる位置に配置される。そして、吸込口体が床面上を前後移動するとローラーが回転する。
【発明の効果】
【００１８】
本発明によると、突出部と一体に回動するレバー状の第１係合部材が、自重により上下動して回動自在に支持されるレバー状の第２係合部材の一端に係合し、回動する第２係合部材の他端によってスイッチが押圧される。このため、突出部の上下動に応じて回転ブラシが駆動される吸込口体の部品点数を削減できるとともに構造を簡素化することができる。従って、電気掃除機のコストを削減することができる。
【図面の簡単な説明】
【００１９】
【図１】本発明の実施形態の電気掃除機を示す斜視図
【図２】本発明の実施形態の電気掃除機の吸込口体を示す底面図
【図３】本発明の実施形態の電気掃除機の吸込口体内部のローラー近傍を示す側面図
【図４】本発明の実施形態の電気掃除機の吸込口体の接地状態のローラー近傍を示す側面図
【図５】本発明の実施形態の電気掃除機の吸込口体の反転時のローラー近傍を示す側面図
【図６】本発明の実施形態の電気掃除機の吸込口体の反転時のローラー近傍を示す側面図
【発明を実施するための形態】
【００２０】
以下に本発明の実施形態を図面を参照して説明する。図１は一実施形態の電気掃除機の斜視図を示している。電気掃除機１は電動送風機（不図示）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２１】
本体部２の前面には可撓性の接続ホース３が接続される。接続ホース３の先端には延長パイプ４が接続され、延長パイプ４の先端には吸込口１５（図２参照）を有した吸込口体５が設けられる。また、接続ホース３の先端には把持部１３及び操作部１４が設けられる。使用者により把持部１３を把持して吸込口体５を移動し、操作部１４の操作により掃除運転が実行される。
【００２２】
図２は吸込口体５の底面図を示している。吸込口体５は樹脂成形品から成る筐体１６により覆われる。筐体１６は床面に対峙する吸込口１５を底面に開口した吸込部１６ａと、吸込部１６ａの中央部から後方に延びる延設部１６ｂとを有して平面視略Ｔ字状に形成される。
【００２３】
吸込口１５の両側方には床面に接地される起毛布１８が貼着される。吸込口１５内にはモータ（不図示）により回転駆動して被掃除面の塵埃を掻き上げる回転ブラシ１９が配される。吸込口１５の後方には詳細を後述するローラー２１（突出部）が配される。ローラー２１の上下動によって回転ブラシ１９が回転されるとともに停止される。
【００２４】
延設部１６ｂの上部には吸込口１５に連通して延長パイプ６（図１参照）が接続される管状の接続パイプ１７が設けられる。延設部１６ｂの底面には車輪２０が設けられる。車輪２０は直交する二方向に回転軸を有する自在車輪により形成され、起毛布１８と車輪２０とを接地して吸込口体５を前後方向及び左右方向に円滑に移動させることができる。
【００２５】
図３はローラー２１近傍の筐体１６内を示す側面図である。筐体１６内には樹脂成形により一体に形成された仕切板２４が立設される。仕切板２４の下端には支持部材２２が軸部２２ａで回動自在に支持される。ローラー２１は支持部材２２の一端に軸部２１ａで軸支され、筐体１６（図２参照）の底面から突出する。軸部２２ａと軸部２１ａとは前後方向に離れるため、ローラー２１は支持部材２２の回動により上下動する。
【００２６】
また、支持部材２２の他端にはレバー状の第１係合部材２３が上方に延びて一体に設けられる。第１係合部材２３はローラー２１の上下動に伴って前後方向に回動する。
【００２７】
仕切板２４の前部には上下方向に延びる長孔２５が設けられる。長孔２５の前方及び上方の周縁には左右方向に突出するリブ２４ａが設けられる。また、仕切板２４の一面には長孔２５に沿ってスイッチ２６が取り付けられる。スイッチ２６は押圧によって回転ブラシ１９（図２参照）を駆動する。
【００２８】
長孔２５には第２係合部材２７の軸部２７ａが嵌合する。第２係合部材２７は軸部２７ａの周面から径方向の異なる方向に延びた第１レバー部２７ｂ及び第２レバー部２７ｃを有したレバー状に形成される。長孔２５と軸部２７ａとの嵌合によって第２係合部材２７は自重により上下動自在に支持されるとともに、回転自在に支持される。
【００２９】
第１レバー部２７ｂは軸部２７ａから下方に延び、下端で第１係合部材２３に係合可能になっている。第２レバー部２７ｃは軸部２７ａから上方に延び、スイッチ２６に面して配置される。
【００３０】
また、第２係合部材２７の回動中心軸を含む鉛直面に対してスイッチ２６及びローラー２１は同じ側に配置される。
【００３１】
上記構成の電気掃除機１において、吸込口１５を下方に向けた標準位置に吸込口体５を配置すると、図３に示すように第２係合部材２７が自重によって筐体１６の底面側に配される。ローラー２１が床面から離れた状態では第１係合部材２３は第２係合部材２７から離れており、スイッチ２６がオフ状態で回転ブラシ１９が停止される。この時、第２係合部材２７の第２レバー部２７ｂはスイッチ２６の弾性によってリブ２４ａの端面２４ｂに当接し、図中、反時計回りの回動が規制される。
【００３２】
標準状態で吸込口体５が床面に接地されると、図４に示すようにローラー２１が上昇する。この時、ローラー２１は仕切板２４を挟んでスイッチ２６に対向し、軸方向（左右方向）にスイッチ２６と重なる。ローラー２１の上昇によって第１係合部材２３が回動し、第２係合部材２７の一端の第１レバー部２７ｂに係合する。
【００３３】
第２係合部材２７は第１係合部材２３の係合により回動し、他端に配される第２レバー部２７ｃがスイッチ２６を押圧する。これにより、回転ブラシ１９が回転して床面の掃除が行われる。
【００３４】
ローラー２１と一体のレバー状の第１係合部材２３の回動がレバー状の第２係合部材２７の回動によりスイッチ２６に伝達されるため、第２係合部材２７の回動中心軸を含む鉛直面に対してローラー２１とスイッチ２６とを同じ側に配置することができる。これにより、吸込口体５の小型化を図ることができる。
【００３５】
吸込口１５を上方に向けた反転位置に吸込口体５を配置すると、図５に示すように第２係止部材２７が自重によって筐体１６の上面側に配される。反転位置で吸込口体５が室内の天井面等に接地されると、図６に示すようにローラー２１が下降する。ローラー２１の下降によって第１係合部材２３が回動するが、第２係合部材２７が第１係合部材２３との係合位置から退避しているためスイッチ２６が押圧されない。これにより、回転ブラシ１９の停止状態が維持される。この時、ローラー２１は筐体１６内に収納されるため、回転ブラシ１９が停止した状態で吸気して天井面等の掃除を行うことができる。
【００３６】
本実施形態によると、ローラー２１（突出部）と一体に回動するレバー状の第１係合部材２３が、自重により上下動して回動自在に支持されるレバー状の第２係合部材２７の一端に係合し、回動する第２係合部材２７の他端によってスイッチ２６が押圧される。このため、ローラー２１の上下動に応じて回転ブラシ１９が駆動される吸込口体５の部品点数を削減できるとともに構造を簡素化することができる。従って、電気掃除機１のコストを削減することができる。
【００３７】
尚、スイッチ２６のオンオフを回転自在のローラー２１の上下動により行っているが、筐体１６の底面から突出した突出部であれば回転しなくてもよい。
【００３８】
また、回動するレバー状の第１、第２係合部材２３、２７によって第２係合部材２７の回動中心軸を含む鉛直面に対してローラー２１及びスイッチ２６が同じ側に配置される。従って、吸込口体５を小型化することができる。
【００３９】
また、第２係合部材２７が長孔２５に嵌合する軸部２７ａと、軸部２７ａから径方向の異なる方向に延びて第１係合部材２３及びスイッチ２６にそれぞれ当接する第１レバー部２７ａ及び第２レバー部２７ｂとを有する。これにより、自重により上下動して回転自在に支持されるとともに第１係合部材２３の係合によってスイッチ２６を押圧する第２係合部材２７を容易に実現することができる。
【００４０】
また、支持部材２２、ローラー２１及び第２係合部材２７の軸方向が左右方向に一致し、筐体１６の底面が接地された際にローラー２１とスイッチ２６とが該軸方向（左右方向）に重なるので、吸込口体５をより小型化することができる。
【産業上の利用可能性】
【００４１】
本発明によると、吸込口体の吸込口に回転ブラシを備えた電気掃除機に利用することができる。
【符号の説明】
【００４２】
１    電気掃除機
２    本体部
３    接続ホース
４    延長パイプ
５    吸込口体
１５    吸込口
１６    筐体
１７    パイプ部
１８    起毛布
１９    回転ブラシ
２０    車輪
２１    ローラー
２２    支持部材
２３    第１係合部材
２４    仕切板
２５    長孔
２６    スイッチ
２７    第２係合部材
２７ａ  軸部
２７ｂ  第１レバー部
２７ｃ  第２レバー部
【図１】
0005698095.tif 000002
【図２】
0005698095.tif 000003
【図３】
0005698095.tif 000004
【図４】
0005698095.tif 000005
【図５】
0005698095.tif 000006
【図６】
0005698095.tif 000007